(57)【要約】【課題】トランスポンダとクライアント装置との接続切り替え情報を共有し、各局が同調して代替救済できる光伝送装置を提供する。【解決手段】光伝送装置は、障害発生トランスポンダ２０に接続していたクライアント装置５０に対し、より優先順位の低いトランスポンダ２０を接続するように光スイッチ部３０を切り替える制御部４０を含む。制御部４０は、優先順位、送信ラベル、受信ラベル、受信ラベル期待値をトランスポンダ毎に対応させたテーブルＴＢを有し、トランスポンダ２０で伝送路側入力異常があると、テーブルＴＢにおいて、入力異常トランスポンダ２０に接続中のクライアント装置５０よりも低い優先順位に該当するトランスポンダ２０の送信ラベルを、入力異常トランスポンダ２０の送信ラベルに書き換え、この書き換え後の送信ラベルを含む光信号を多重したＷＤＭ信号が対向局へ送信されるように制御する。【選択図】図２
2010213009.tif 000002
【特許請求の範囲】
【請求項１】
波長の異なる光信号を波長多重してＷＤＭ（Wavelength Division Multiplexing）信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成され、
前記制御部は、
少なくとも優先順位、送信ラベル、受信ラベル、受信ラベル期待値の各項目を、前記トランスポンダ毎に対応させたテーブルを有し、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、
この送信ラベルを書き換えたラベル変更トランスポンダが、当該書き換え後の送信ラベルを含む光信号を前記波長分割多重部へ出力するように制御する、
光伝送装置。
【請求項２】
請求項１記載の光伝送装置であって、
前記制御部は、
前記ラベル変更トランスポンダが、前記書き換え後の送信ラベルを含む光信号を前記波長分割多重部へ出力した後、
このラベル変更トランスポンダにおいて前記波長分割多重部から入力される光信号に異常が発生すると、前記テーブルにおいて、当該ラベル変更トランスポンダの送信ラベルを、書き換え前の送信ラベルに戻し、
この書き換え前の送信ラベルに戻したトランスポンダを、前記入力異常トランスポンダに接続していたクライアント装置へ接続するように、前記光スイッチ部を切り替える、
光伝送装置。
【請求項３】
請求項１記載の光伝送装置であって、
前記制御部は、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替える、
光伝送装置。
【請求項４】
請求項３記載の光伝送装置であって、
前記制御部は、
前記ラベル異常トランスポンダとクライアント装置との接続をオフに切り替えた後、
前記テーブルにおいて、このラベル異常トランスポンダの受信ラベルが受信ラベル期待値に再度一致すると、当該トランスポンダを、前記受信ラベル期待値と異なっていた受信ラベルが本来設定されているトランスポンダに接続していたクライアント装置へ接続するように、前記光スイッチ部を切り替える、
光伝送装置。
【請求項５】
請求項１記載の光伝送装置であって、
前記制御部は、
前記トランスポンダのいずれかでクライアント装置への出力に障害が発生したとき、又は、前記トランスポンダのいずれかでハード障害が発生したときに、この障害発生トランスポンダとクライアント装置との接続をオフとするように、前記光スイッチ部を切り替える、
光伝送装置。
【請求項６】
請求項１〜５のいずれか１項記載の光伝送装置であって、
前記トランスポンダの個数が前記クライアント装置よりも多い光伝送装置。
【請求項７】
波長の異なる光信号を波長多重してＷＤＭ（Wavelength Division Multiplexing）信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成される光伝送装置を、自局及び対向局に備えた光伝送システムであって、
前記制御部は、少なくとも優先順位、送信ラベル、受信ラベル、受信ラベル期待値の各項目を、前記トランスポンダ毎に対応させたテーブルを有し、
自局の前記制御部が、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、この送信ラベルを書き換えたラベル変更トランスポンダが、当該書き換え後の送信ラベルを含む光信号を前記波長分割多重部へ出力するように制御し、
対向局の前記制御部が、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替え、
前記自局の制御部が、
前記ラベル変更トランスポンダにおいて前記波長分割多重部から入力される光信号に異常が発生すると、前記テーブルにおいて、当該ラベル変更トランスポンダの送信ラベルを、書き換え前の送信ラベルに戻し、この書き換え前の送信ラベルに戻したトランスポンダを、前記入力異常トランスポンダに接続していたクライアント装置へ接続するように、前記光スイッチ部を切り替え、
前記対向局の制御部が、
前記テーブルにおいて、前記ラベル異常トランスポンダの受信ラベルが受信ラベル期待値に再度一致すると、このトランスポンダを、前記受信ラベル期待値と異なっていた受信ラベルが本来設定されているトランスポンダに接続していたクライアント装置へ接続するように、前記光スイッチ部を切り替える、
光伝送システム。
【請求項８】
ＳＯＮＥＴ（Synchronous Optical Network）／ＳＤＨ（Synchronous Digital Hierarchy）のトレース識別子（Trace Identifier）機能を有するＷＤＭ（Wavelength Division Multiplexing）光伝送ネットワークにおいてノードに備えられ、
波長の異なる光信号を波長多重してＷＤＭ信号を伝送路へ送信し、伝送路から受信したＷＤＭ信号を波長毎の光信号に分離する波長分割多重部と、
該波長分割多重部と複数のクライアント装置との間に設けられて波長毎に光信号を波長変換する複数のトランスポンダと、
前記トランスポンダと前記クライアント装置との間の接続経路を切り替える光スイッチ部と、
を含んで構成される光伝送装置の制御方法であって、
前記トランスポンダのそれぞれに割り振られた前記トレース識別子の送信ラベル、受信ラベル、受信ラベル期待値に基づいて前記光スイッチ部を制御し、
前記トランスポンダのいずれかにおいて受信ラベルと受信ラベル期待値とのトレース識別子不一致（Trace Identifier Mismatch）が発生したときに、前記光スイッチ部を切り替える、
制御方法。
【請求項９】
請求項８記載の制御方法であって、
前記トレース識別子不一致の受信ラベルが、障害の発生しているトランスポンダに付与されている受信ラベルと同じ値になっており、
この受信ラベルの示す障害発生トランスポンダに接続していたクライアント装置を、前記トレース識別子不一致の発生したトランスポンダへ接続するように、前記光スイッチ部を切り替える、
制御方法。
【発明の詳細な説明】
【技術分野】
【０００１】
本発明は、光波長多重（ＷＤＭ：Wavelength Division Multiplexing）信号を送受信する光伝送装置に関する。
【背景技術】
【０００２】
近年のインターネットの急速な普及により、大容量且つ長距離伝送可能な光伝送技術が望まれ、ＷＤＭ方式の光伝送技術が広く用いられている。最近では、ＷＤＭ信号における１波長の伝送容量も大容量化してきており、一つの波長に障害が発生するだけでも、損傷するデータ量が大きくなっている。そこで、データの損傷を回避するために、伝送路の光ファイバや、伝送路を通しＷＤＭ信号を送受信する光伝送装置において、冗長構成を組むことにより、障害が発生したときに予備へ代替して救済できるようにしている。
【０００３】
ＷＤＭネットワークのノードなど、光伝送システムに備えられる光伝送装置は、クライアント装置（光送受信器）から出された光信号を波長多重に適した波長へ変換するトランスポンダ（波長変換器）を波長毎に備え、該トランスポンダで波長変換した光信号をマルチプレクサ（波長多重器）で波長多重し、ＷＤＭ信号を伝送路へ送出する。また、伝送路から受信されたＷＤＭ信号は、デマルチプレクサ（波長分離器）で波長毎に分離され、それぞれトランスポンダで波長変換された後にクライアント装置へ入力される。
【０００４】
このような光伝送装置における冗長構成としては、例えば特許文献１に開示されているように、波長毎に備えられた複数のトランスポンダに対して、予備のトランスポンダを余分に設けるのが一般的である。
【０００５】
しかし、当該冗長構成をもつ光伝送装置では、予備のトランスポンダの個数に冗長性が左右される。すなわち、予備トランスポンダが１台の場合、１波長しか代替救済を行えず、複数台のトランスポンダに異常が生じたときに対応できない。しかし、冗長性を考慮して予備トランスポンダを多くすると、装置コストが嵩んでしまうことになる。
【０００６】
そこで、特許文献２に、トランスポンダとクライアント装置との間の接続経路を切り替え可能な光スイッチ部を設け、該光スイッチ部の切り替えにより代替救済を行うことが提案されている。すなわち、障害の発生した光信号よりも優先度の低い光信号の伝送を停止し、該停止した光信号のトランスポンダを利用して前記障害発生光信号が伝送されるように、光スイッチ部を切り替えることで、代替救済する技術である。
【先行技術文献】
【特許文献】
【０００７】
【特許文献１】特開平１０−２１０００８号公報
【特許文献２】特開２００６−１６６０３７号公報
【発明の概要】
【発明が解決しようとする課題】
【０００８】
特許文献２に記載された技術の場合、光スイッチ部の切り替え情報を自局と対向局とで共有する術がないため、両局とも、相手がどの優先順位のトランスポンダを代替に使用するか、について認識することはできない。したがって、各局において、どのトランスポンダから順に代替に使用していくか、代替順を予め決定しておくなどの取り決めを交わしておく必要がある。
【０００９】
この場合に、例えば、優先順位“１”の光信号と優先順位“２”の光信号とで同時に障害が発生したりすると、当該優先順位“１”と“２”に対して優先順位“５”と優先順位“６”のどちらを代替に割り振るか、両局で整合をとれなくなる可能性がある。
【００１０】
この点に鑑みると、低コストでできるだけ多くのトランスポンダを救済可能な特許文献２のような回路を備えると共に、各局において、トランスポンダとクライアント装置との間の光スイッチ部について切り替え情報を共有し、各局が同調して代替救済を行えるような光伝送装置の提供が望まれる。
【課題を解決するための手段】
【００１１】
上記課題を解決する光伝送装置として、次の伝送装置を提案する。
波長の異なる光信号を波長多重してＷＤＭ信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成され、
前記制御部は、
少なくとも優先順位、送信ラベル、受信ラベル、受信ラベル期待値の各項目を、前記トランスポンダ毎に対応させたテーブルを有し、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、
この送信ラベルを書き換えたラベル変更トランスポンダが、当該書き換え後の送信ラベルを含む光信号を前記波長分割多重部へ出力するように制御する、
伝送装置。
【００１２】
また、このような光伝送装置を備えた光伝送システムとして、
波長の異なる光信号を波長多重してＷＤＭ信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成される光伝送装置を、自局及び対向局に備えた光伝送システムであって、
その制御部が、少なくとも優先順位、送信ラベル、受信ラベル、受信ラベル期待値の各項目を、前記トランスポンダ毎に対応させたテーブルを有し、これに基づいて、次にあげる制御を実行する、光伝送システムを提案する。
【００１３】
自局の前記制御部が、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、この送信ラベルを書き換えたラベル変更トランスポンダが、当該書き換え後の送信ラベルを含む光信号を前記波長分割多重部へ出力するように制御し、
対向局の前記制御部が、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替え、
前記自局の制御部が、
前記ラベル変更トランスポンダにおいて前記波長分割多重部から入力される光信号に異常が発生すると、前記テーブルにおいて、当該ラベル変更トランスポンダの送信ラベルを、書き換え前の送信ラベルに戻し、この書き換え前の送信ラベルに戻したトランスポンダを、前記入力異常トランスポンダに接続していたクライアント装置へ接続するように、前記光スイッチ部を切り替え、
前記対向局の制御部が、
前記テーブルにおいて、前記ラベル異常トランスポンダの受信ラベルが受信ラベル期待値に再度一致すると、このトランスポンダを、前記受信ラベル期待値と異なっていた受信ラベルが本来設定されているトランスポンダに接続していたクライアント装置へ接続するように、前記光スイッチ部を切り替える。
【００１４】
あるいは、前記制御部は、次にあげる制御を実行することもできる。
【００１５】
自局の前記制御部が、
前記トランスポンダのいずれかでクライアント装置への出力に障害が発生したとき、又は、前記トランスポンダのいずれかでハード障害が発生したときに、この障害発生トランスポンダとクライアント装置との接続をオフとするように、前記光スイッチ部を切り替え、
対向局の前記制御部が、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、この送信ラベルを書き換えたラベル変更トランスポンダが、当該書き換え後の送信ラベルを含む光信号を前記波長分割多重部へ出力するように制御し、
前記自局の制御部が、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替え、
前記対向局の制御部が、
前記ラベル変更トランスポンダにおいて前記波長分割多重部から入力される光信号に異常が発生すると、前記テーブルにおいて、このラベル変更トランスポンダの送信ラベルを、書き換え前の送信ラベルに戻し、この書き換え前の送信ラベルに戻したトランスポンダを、前記入力異常トランスポンダに接続していたクライアント装置へ接続するように、前記光スイッチ部を切り替え、
前記自局の制御部が、
前記テーブルにおいて、前記ラベル異常トランスポンダの受信ラベルが受信ラベル期待値に再度一致すると、このトランスポンダを、前記受信ラベル期待値と異なっていた受信ラベルが本来設定されているトランスポンダに接続していたクライアント装置へ接続するように、前記光スイッチ部を切り替える。
【００１６】
上記課題を解決するために、トランスポンダとクライアント装置との間に設けられた光スイッチ部を切り替える制御の一提案として、例えばＳＯＮＥＴ（Synchronous Optical Network）／ＳＤＨ（Synchronous Digital Hierarchy）のトレース識別子（Trace Identifier）機能を利用した光伝送装置の制御方法について提案する。
この提案に係る制御方法は、
波長の異なる光信号を波長多重してＷＤＭ信号を伝送路へ送信し、伝送路から受信したＷＤＭ信号を波長毎の光信号に分離する波長分割多重部と、
該波長分割多重部と複数のクライアント装置との間に設けられて波長毎に光信号を波長変換する複数のトランスポンダと、
前記トランスポンダと前記クライアント装置との間の接続経路を切り替える光スイッチ部と、
を含んで構成される光伝送装置の制御方法であって、
前記トランスポンダのそれぞれに割り振られた前記トレース識別子の送信ラベル、受信ラベル、受信ラベル期待値に基づいて前記光スイッチ部を制御し、
前記トランスポンダのいずれかにおいて受信ラベルと受信ラベル期待値とのトレース識別子不一致（Trace Identifier Mismatch）が発生したときに、前記光スイッチ部を切り替える、制御方法である。
【発明の効果】
【００１７】
上記提案によると、所定のトランスポンダの送信ラベルを故意に書き換え、この変更送信ラベルを含んだ光信号をＷＤＭ信号に多重して対向局へ送信することにより、対向局において故意に受信信号のラベル不一致を発生させ、自局と対向局とで互いに障害発生を認知することができる。
【００１８】
その送信ラベルを書き換えるラベル変更トランスポンダは、障害の発生したトランスポンダに接続したクライアント装置よりも低い優先順位に該当するトランスポンダとすることができる。そして、このラベル変更トランスポンダの送信ラベルについて、障害発生トランスポンダに本来設定されている送信ラベルの値に書き換えるようにすれば、障害発生トランスポンダと、このトランスポンダの代わりとして使用する代用トランスポンダとを、対向局の光伝送装置へ通知することができる。したがって、自局及び対向局の光伝送装置において互いに障害発生を認知すると共に、各局が光スイッチ部の切り替え情報を共有し、同調して代替救済を行うことができる。
【図面の簡単な説明】
【００１９】
【図１Ａ】光伝送システムの概略図。
【図１Ｂ】図１Ａに示した光伝送システムのＡ局及びＢ局に備えられる光伝送装置の実施形態を示したブロック図。
【図２】正常運用されている光伝送装置を示した説明図。
【図３】障害発生時の光伝送装置を示した説明図。
【図４】図３に続く光伝送装置の状態を示した説明図。
【図５】図４に続く光伝送装置の状態を示した説明図。
【図６】図５に続く光伝送装置の状態を示した説明図。
【図７】図６に続く光伝送装置の状態を示した説明図。
【図８】図７に続く光伝送装置の状態を示した説明図。
【図９】図８に続く光伝送装置の状態を示した説明図。
【図１０】図９に続く光伝送装置の状態を示した説明図。
【図１１】図１０に続く光伝送装置の状態を示した説明図。
【図１２】図１１に続く光伝送装置の状態を示した説明図。
【図１３】図１２に続く光伝送装置の状態を示した説明図。
【図１４】図１３に続く光伝送装置の状態を示した説明図。
【図１５】図３とは異なる障害発生時の光伝送装置を示した説明図。
【図１６】図１５に続く光伝送装置の状態を示した説明図。
【図１７】図１６に続く光伝送装置の状態を示した説明図。
【図１８】図３及び図１５とは異なる障害発生時の光伝送装置を示した説明図。
【図１９】図１８に続く光伝送装置の状態を示した説明図。
【図２０】図１９に続く光伝送装置の状態を示した説明図。
【図２１】予備のトランスポンダを備えた光伝送装置の正常運用時を示した説明図。
【図２２】図２１の光伝送装置の障害発生時を示した説明図。
【図２３】図２２に続く光伝送装置の状態を示した説明図。
【発明を実施するための形態】
【００２０】
以下に記載する光伝送装置は、いずれかのトランスポンダに関して障害が発生したときに、該障害発生トランスポンダに接続しているクライアント装置よりも優先順位の低いクライアント装置に接続しているトランスポンダを代用して、救済を実行する。したがって、予備のトランスポンダを設けなくとも代替救済を実行できるし、予備のトランスポンダを設ける場合は、１台の予備トランスポンダがあれば、全トランスポンダについて少なくとも１回の代替救済を実行することができる。
【００２１】
また、以下に記載する光伝送装置は、自局と対向局とで交信するＷＤＭ信号を利用して、互いの障害発生を通知することができる。例えば、光伝送装置に受信されたＷＤＭ信号中のいずれかの波長の光信号に障害が発生していたとする。この光伝送装置において、障害が発生している光信号以外の光信号に対応するトランスポンダのいずれかで故意に送信ラベルを書き換える。これにより、ラベル不一致とした光信号を含むＷＤＭ信号を作り出し、該信号を対向局へ送信する。このＷＤＭ信号送信により、対向局の光伝送装置においてラベル不一致を検出させ、トランスポンダに係る障害発生を認識させることができる。対向局光伝送装置では、これに応じて光スイッチ部の切り替えを実行することにより、トランスポンダ代替救済を実行することが可能となる。
【００２２】
あるいは、光伝送装置においていずれかの波長の光信号に障害が発生して当該光信号のトランスポンダの出力を停止させたときに、対向局の光伝送装置において上記ラベル不一致を生成する制御が実行されれば、対向局からのラベル不一致の光信号を含むＷＤＭ信号が受信されることで、自局の障害発生を対向局でも認識できたと確認することができる。そして、光スイッチ部を切り替えてトランスポンダ代替救済を行うことができる。
【００２３】
このような制御により、障害に対するプロテクション機能を備えたＷＤＭ光伝送システムの低コスト化が期待される。
【００２４】
図１Ａに、光伝送装置を利用する光伝送システムについて一例を示している。すなわち、それぞれ光伝送装置を備えるＡ局とＢ局とが光ファイバを用いた光伝送路ＯＴＬを介して一対一（Point to Point）接続され、光伝送路ＯＴＬを通してＡ局とＢ局との間でＷＤＭ信号が送受信される。なお、Ａ局及びＢ局は、一対一接続されるものに限られるわけではなく、リング型ネットワークのノード等であってもよい。
【００２５】
このようなＡ局及びＢ局に備えられる光伝送装置の実施形態について、図１Ｂに示す。本実施形態の光伝送装置は、光伝送路ＯＴＬに対してＷＤＭ信号を送受信する波長分割多重部（ＭＵＸ／ＤＥＭＵＸ）１０と、波長毎（チャネル毎）に設けられたトランスポンダ（ＴＰ）２０と、例えばＭＥＭＳ（Micro Electro Mechanical Systems）スイッチを用いた光スイッチ部（ＳＷ）３０と、トランスポンダ２０の状態に応じて光スイッチ部３０の切り替えを制御する制御部（ＣＴＲ）４０と、を備えている。
【００２６】
波長分割多重部１０は、各トランスポンダ２０から出力された波長の異なる光信号を波長多重してＷＤＭ信号とし、光ファイバ網の伝送路ＯＴＬへ送信する。また、伝送路ＯＴＬから受信したＷＤＭ信号を波長毎の光信号に分離して、各波長のトランスポンダ２０へそれぞれ出力する。
【００２７】
トランスポンダ２０は、ＷＤＭ信号として多重する波長の数だけ設けられており、クライアント装置（ＣＬ）５０から光スイッチ部３０を通し入力される光信号を、それぞれ所定の波長に変換して波長分割多重部１０へ出力する。また、トランスポンダ２０は、波長分割多重部１０から入力される光信号の波長をクライアント装置５０用の波長に変換して、光スイッチ部３０を通し対応するクライアント装置５０へ出力する。それぞれのトランスポンダ２０は、自身の状態を制御部４０に報告する。また、これらトランスポンダ２０からクライアント装置５０への出力経路中には、光分岐部６０がそれぞれ設けられており、トランスポンダ２０から出力される光信号の一部が、制御部４０の監視用に分岐される。
【００２８】
光スイッチ部３０は、制御部４０の制御に従いトランスポンダ２０とクライアント装置５０との間の接続経路を切り替える。この光スイッチ部３０の切り替えによって、一つのトランスポンダ２０に接続するクライアント装置５０を、全クライアント装置５０の中から選択することができる。
【００２９】
制御部４０は、トランスポンダ２０毎に、優先順位、トレース識別子の送信ラベル（送信する光信号にのせる識別ラベル）、受信ラベル（実際に受信した光信号の識別ラベル）、受信ラベル期待値（本来受信すべき光信号の識別ラベル）を対応させた書き換え可能なテーブルＴＢ（図２〜図２３参照）を、メモリ等に記憶してもっている。制御部４０は、このテーブルＴＢを参照して光スイッチ部３０を制御する。トレース識別子は、ＩＴＵ−Ｔ（International Telecommunication Union Telecommunication Standardization Sector）Ｇ．７０９、ＧＲ−２５３（Bellcore）／ＩＴＵ−ＴＧ．７０７（ＳＯＮＥＴ／ＳＤＨ）で規定されており、トランスポンダ２０で光信号にのせるメッセージである。トランスポンダ２０において、波長分割多重部１０から入力されている光信号の識別ラベル＝受信ラベルが受信ラベル期待値と異なっている場合には、トレース識別子不一致のアラームが出されることになっている。なお、本実施形態では、この規定のトレース識別子を利用して、対向する光伝送装置へ光信号の識別子を転送しているが、これによらず、例えば監視制御信号転送用の別波長を用意して、光信号のラベルを転送することもできる。
【００３０】
本実施形態における各局の制御部４０のテーブルＴＢは、図２に示すように、波長毎のトランスポンダ２０Ａ〜Ｆ，２０ａ〜ｆに対応させて、優先順位、送信ラベル、受信ラベル、受信ラベル期待値、各トランスポンダ２０に対する光スイッチ部３０のスイッチ状態（接続経路の状態）、各トランスポンダ２０の現在の状態（正常か異常かなど）が書き込まれている。さらに、自局及び対向局の運用状態、現在の最低優先順位の情報も、当該テーブルＴＢに書き込まれている。制御部４０は、このテーブルＴＢを参照してトランスポンダ２０に関する変化を判断し、自局と対向局の状況に応じて書き換えを行う。
【００３１】
以下、図２〜図１４を参照して、波長毎にあるトランスポンダ２０のいずれかに障害が発生したときに、Ａ局及びＢ局の制御部４０が光スイッチ部３０を切り替える制御について説明する。制御部４０は、障害発生トランスポンダ２０に接続しているクライアント装置５０よりも優先順位の低いクライアント装置５０に接続しているトランスポンダ２０に対し、障害発生トランスポンダ２０に接続していたクライアント装置５０が接続されるように、光スイッチ部３０を切り替える。各図中、左側のＡ局に示すトランスポンダ２０Ａ〜Ｆを含んだ光伝送装置と右側のＢ局に示すトランスポンダ２０ａ〜ｆを含んだ光伝送装置とは、例えば図１Ａに示すように、伝送路ＯＴＬを介し一対一接続されている。
【００３２】
図２は、Ａ局、Ｂ局両方の全トランスポンダ２０が正常に動作している状態を示している。このときの各局制御部４０がもつテーブルＴＢの項目について説明する。
【００３３】
優先順位は、優先順位“１”が最も優先度が高く、優先順位“６”が最も優先度が低い。この優先順位は、それぞれのトランスポンダ２０が担当している光信号の優先順位を示し、クライアント装置５０が送受信するデータの種別、例えば音声通話かデータ通信かなど信号のサービス品質や、データの重要度に応じてランク付けしたものである。初期状態において、各クライアント装置５０にそれぞれ対応付けたトランスポンダ２０ごとに、該当するクライアント装置５０の優先順位を割り振ることで、テーブルＴＢにおいて、各トランスポンダ２０の優先順位が書き込まれる。
【００３４】
送信ラベル（Label）は、自局のトランスポンダ２０が対向局へ送信する光信号にのせる識別ラベルである。受信ラベル（Label）は、対向局のトランスポンダ２０の送信ラベルであり、波長分割多重部１０からトランスポンダ２０に入力された光信号に含まれている実際の識別ラベルである。受信ラベル（Label）期待値は、自局トランスポンダ２０が本来受け取るべき光信号の識別ラベル（対向局トランスポンダ２０の送信ラベル）で、予め設定されたものである。
【００３５】
スイッチ（Switch）状態は、光スイッチ部３０の切り替え情報であり、「優先順位を示す数値」、「折り返し」、「ＯＦＦ」の値をもつ。「優先順位を示す数値」は、トランスポンダ２０がどの優先順位のクライアント装置５０と接続されているかを示す。「折り返し」は、トランスポンダ２０のクライアント装置側出力が折り返されて、波長分割多重部１０の方へと戻されていることを示す。「ＯＦＦ」は、トランスポンダ２０がいずれのクライアント装置５０とも接続されていないことを示している。すなわち、「ＯＦＦ」の場合は、このトランスポンダ２０を介して、波長分割多重部１０からの光信号がいずれのクライアント装置５０へも入力されておらず、いずれのクライアント装置５０からの光信号も波長分割多重部１０へ入力されていない状態であることを示す。
【００３６】
状態（ユニット状態）は、トランスポンダ２０の現在の状態を示す情報であり、「正常」、「自局障害」、「対向障害」、「待機」の値をもつ。「正常」は、該当波長の光信号が疎通していることを示す。「自局障害」は、自局トランスポンダ２０に関する障害発生が認識されている状態を示す。「対向障害」は、自局トランスポンダ２０に異常がない状態において、波長分割多重部１０からの対応する光信号入力に異常が検出された状態を示す。「待機」は、クライアント装置５０よりもトランスポンダ２０の個数が多い場合に、運用していない予備のトランスポンダ２０であることを示す。
【００３７】
運用状態は、トランスポンダ２０毎の状態ではなく、現在の局の状態を示し、「正常運用」、「自局障害切り替え」、「対向局障害切り替え」の値をもつ。「正常運用」は、お互い正常に動作している状態を示す。「自局障害切り替え」は、自局で障害が発生して切り替え制御中であることを示す。「対向局障害切り替え」は、対向局で障害が発生して切り替え制御中であることを示している。
【００３８】
現在最低優先順位は、現在正常運用中のトランスポンダ２０のうち、対応するクライアント装置５０の優先順位が最低であるものの優先順位の数値を示す。
【００３９】
一例として、図２に示すＡ局のテーブルＴＢにおいては、いずれのトランスポンダ２０においても障害が発生しておらず且つＢ局からの光信号入力にも障害が発生していないので、運用状態の項目は、自局及び対向局ともに正常に動作していることを示す“正常運用”になっている。そして、全トランスポンダ２０が正常運用中なので、対応するクライアント装置５０の最低の優先順位の数値を示す現在最低優先順位の項目は、“６”となっている。
【００４０】
また、各トランスポンダ２０Ａ〜Ｆの項目を追っていくと、まずトランスポンダ２０Ａは、初期設定として優先順位が“１”であるクライアント装置５０に接続されているので、優先順位及びスイッチ状態の両項目が“１”となっている。該トランスポンダ２０Ａの送信ラベルとしては、“ＡＡＡ”が設定されている。そして、このトランスポンダ２０Ａは、Ｂ局のトランスポンダ２０ａによる光信号を入力するように設定されているので、受信ラベル期待値の項目には、Ｂ局のトランスポンダ２０ａの送信ラベルである“ａａａ”が設定されている。現在、正常運用中なので、受信ラベルの項目は期待値通りの“ａａａ”であり、状態の項目は“正常”になっている。
【００４１】
その他のトランスポンダ２０Ｂ，Ｃ，Ｄ，Ｅ，Ｆの項目も同様に設定される。トランスポンダ２０Ｂは、初期設定で優先順位“２”のクライアント装置５０に接続されているので、優先順位及びスイッチ状態の両項目が“２”である。トランスポンダ２０Ｂの送信ラベルには“ＢＢＢ”が設定され、また、トランスポンダ２０Ｂは、Ｂ局のトランスポンダ２０ｂによる光信号を入力する設定なので、受信ラベル期待値の項目に“ｂｂｂ”が設定されている。そして、現在、正常運用中なので、受信ラベルの項目は期待値通りの“ｂｂｂ”であり、状態の項目は“正常”である。
【００４２】
トランスポンダ２０Ｃは、初期設定で優先順位“３”のクライアント装置５０に接続されているので、優先順位及びスイッチ状態の両項目が“３”である。トランスポンダ２０Ｃの送信ラベルには“ＢＢＢ”が設定され、また、トランスポンダ２０Ｃは、Ｂ局のトランスポンダ２０ｃによる光信号を入力する設定なので、受信ラベル期待値の項目に“ｃｃｃ”が設定されている。そして、現在、正常運用中なので、受信ラベルの項目は期待値通りの“ｃｃｃ”であり、状態の項目は“正常”である。
【００４３】
トランスポンダ２０Ｄは、初期設定で優先順位“４”のクライアント装置５０に接続されているので、優先順位及びスイッチ状態の両項目が“４”である。トランスポンダ２０Ｄの送信ラベルには“ＤＤＤ”が設定され、また、トランスポンダ２０Ｄは、Ｂ局のトランスポンダ２０ｄによる光信号を入力する設定なので、受信ラベル期待値の項目に“ｄｄｄ”が設定されている。そして、現在、正常運用中なので、受信ラベルの項目は期待値通りの“ｄｄｄ”であり、状態の項目は“正常”である。
【００４４】
トランスポンダ２０Ｅは、初期設定で優先順位“５”のクライアント装置５０に接続されているので、優先順位及びスイッチ状態の両項目が“５”である。トランスポンダ２０Ｅの送信ラベルには“ＥＥＥ”が設定され、また、トランスポンダ２０Ｅは、Ｂ局のトランスポンダ２０ｅによる光信号を入力する設定なので、受信ラベル期待値の項目に“ｅｅｅ”が設定されている。そして、現在、正常運用中なので、受信ラベルの項目は期待値通りの“ｅｅｅ”であり、状態の項目は“正常”である。
【００４５】
トランスポンダ２０Ｆは、初期設定で最も低い優先順位“６”のクライアント装置５０に接続されているので、優先順位及びスイッチ状態の両項目が“６”である。トランスポンダ２０Ｆの送信ラベルには“ＦＦＦ”が設定され、また、トランスポンダ２０Ｆは、Ｂ局のトランスポンダ２０ｆによる光信号を入力する設定なので、受信ラベル期待値の項目に“ｆｆｆ”が設定されている。そして、現在、正常運用中なので、受信ラベルの項目は期待値通りの“ｆｆｆ”であり、状態の項目は“正常”である。
【００４６】
なお、このＡ局の対向局であるＢ局においても、図２に示す通り、Ａ局同様にしてテーブルＴＢの初期設定が行われている。
【００４７】
このように初期設定に従ってＡ局及びＢ局が正常動作している状態から、図３に示す障害が発生したとする。図３に示す状況は、Ａ局の優先順位“２”担当のトランスポンダ２０Ｂの伝送路側（波長分割多重部１０側）出力において障害が発生した状況である。ただし、この時点でＡ局光伝送装置の制御部４０は自局の障害発生を認識していない。一方、Ｂ局の光伝送装置においては、Ａ局のトランスポンダ２０Ｂの光信号を受け取るはずのトランスポンダ２０ｂで伝送路側入力、すなわち波長分割多重部１０からの対応する光信号入力に異常が生じることから、Ｂ局制御部４０は、障害発生を認識する。図３の場合、Ｂ局トランスポンダ２０ｂには障害が発生していないので、Ｂ局制御部４０は、対向障害と認識し、自局テーブルＴＢにおいて、トランスポンダ２０ｂ（＝伝送路側入力異常トランスポンダ）の状態を“対向障害”に書き換える。
【００４８】
次いで、Ｂ局制御部４０は、該伝送路側入力異常のトランスポンダ２０ｂに接続したクライアント装置５０よりも低い優先順位に該当するトランスポンダ２０があるか否か調べる。すなわち、伝送路側入力異常のトランスポンダ２０ｂに接続したクライアント装置５０よりも優先順位の低いクライアント装置５０に接続しているトランスポンダ２０が自局にあるか否か、テーブルＴＢを検索する。そして、Ｂ局制御部４０は、該当するトランスポンダ２０が自局にあれば、テーブルＴＢの運用状態を“対向局障害切り替え”として対向局障害切り替えのシーケンスに移行する。
【００４９】
図４において、対向局障害切り替えのシーケンスに移行したＢ局制御部４０は、トランスポンダ２０ｂに接続したクライアント装置５０よりも優先順位の低いクライアント装置５０が複数ある場合、例えば現在の最低優先順位“６”のクライアント装置５０に接続したトランスポンダ２０ｆについて、テーブルＴＢの送信ラベル“ｆｆｆ”を、伝送路側入力異常中のトランスポンダ２０ｂの送信ラベル“ｂｂｂ”に書き換える。これにより、Ｂ局トランスポンダ２０ｆから、異常のあった優先順位“２”に該当する送信ラベル“ｂｂｂ”をもった光信号が出力され、波長分割多重部１０でＷＤＭ信号に波長多重されて伝送路ＯＴＬへ送信される。
【００５０】
すると、Ａ局光伝送装置では、最低優先順位“６”に該当するトランスポンダ２０Ｆにおいて、優先順位“２”該当の受信ラベル“ｂｂｂ”を含んだ光信号が、波長分割多重部１０から入力されることになる。しがたってＡ局制御部４０は、テーブルＴＢにおいてトランスポンダ２０Ｆの受信ラベルを“ｂｂｂ”に書き換える。その結果、テーブルＴＢにおいて、トランスポンダ２０Ｆの受信ラベル“ｂｂｂ”が、トランスポンダ２０Ｆの受信ラベル期待値“ｆｆｆ”と異なることになるため、Ａ局制御部４０は、ラベル不一致、つまりトレース識別子不一致を検出する。これによりＡ局制御部４０は、受信ラベル期待値“ｂｂｂ”を本来もつ優先順位“２”該当のトランスポンダ２０Ｂに関して障害が発生していると判断することができ、テーブルＴＢにおいて、トランスポンダ２０Ｂの状態を“自局障害”に書き換える。そして、Ａ局制御部４０は、テーブルＴＢの運用状態を“自局障害切り替え”として自局障害切り替えのシーケンスに移行する。
【００５１】
図５において、自局障害切り替えのシーケンスに移行したＡ局制御部４０は、光スイッチ部３０を制御し、優先順位“６”のクライアント装置５０とこれに対応するトランスポンダ２０Ｆとの接続をオフに切り替え、テーブルＴＢにおいて、該トランスポンダ２０Ｆのスイッチ状態を“ＯＦＦ”に書き換える。これにより、Ａ局トランスポンダ２０Ｆの伝送路側出力が異常状態になるので、このトランスポンダ２０Ｆに対応する受信ラベル期待値“ＦＦＦ”が設定されているＢ局トランスポンダ２０ｆにおいて、伝送路側入力に異常が発生することになる。当該トランスポンダ２０ｆの伝送路側入力異常を認識したＢ局制御部４０は、テーブルＴＢにおいて、トランスポンダ２０ｆの状態を“アラーム”に書き換える。これによりＢ局制御部４０は、Ａ局側が自局障害を認識したと判断する。
【００５２】
Ａ局とＢ局との間で以上の交信が実行されることによって、Ａ局制御部４０が自局のトンラスポンダ２０Ｂの伝送路側出力に障害が発生したことを認識することができると共に、Ｂ局制御部４０は、対向局のトランスポンダ２０Ｂに関して障害が発生し且つ対向局の制御部４０がその障害発生を認識したと判断することができる。すなわち、両局制御部４０が同調して、障害発生したトランスポンダ２０Ｂの代替制御を実行することができる。
【００５３】
図６において、優先順位“６”該当のトランスポンダ２０ｆで伝送路側入力異常が検出された後のＢ局制御部４０は、テーブルＴＢにおいて、“ｂｂｂ”に書き換えていたトランスポンダ２０ｆの送信ラベルを、書き換え前の本来の識別ラベル“ｆｆｆ”に戻す。さらに、Ｂ局制御部４０は、光スイッチ部３０を制御し、送信ラベル“ｆｆｆ”に書き戻したトランスポンダ２０ｆに対して、対向局障害の発生しているトランスポンダ２０ｂに接続していた優先順位“２”のクライアント装置５０が接続されるように、切り替える。このように光スイッチ部３０を切り替えたＢ局制御部４０は、テーブルＴＢにおいて、トランスポンダ２０ｂのスイッチ状態を“ＯＦＦ”に書き換え、トランスポンダ２０ｆのスイッチ状態を“優先順位２”に書き換える。
【００５４】
このＢ局制御部４０の代替制御により、Ａ局において、波長分割多重部１０からトランスポンダ２０Ｆに入力される光信号の受信ラベルが“ｆｆｆ”となるので、Ａ局制御部４０は、テーブルＴＢにおいて、トランスポンダ２０Ｆの受信ラベルを“ｆｆｆ”に書き換える。その結果、Ａ局トランスポンダ２０Ｆの受信ラベルと受信ラベル期待値とが一致することになる。
【００５５】
図７において、トランスポンダ２０Ｆの受信ラベルが本来の値に戻ると、Ａ局制御部４０は、Ｂ局において光スイッチ部３０の切り替えが実行されたことを認識し、自局のＡ局光スイッチ部３０を制御する。このときのＡ局制御部４０は、優先順位“６”のクライアント装置５０に接続していたトランスポンダ２０Ｆと優先順位“２”のクライアント装置５０とが接続されるように、光スイッチ部３０を切り替える。すなわち、Ａ局制御部４０は、受信ラベルと受信ラベル期待値とが“ｆｆｆ”に一致復帰したトランスポンダ２０Ｆに対して、一致前の、受信ラベル期待値と異なっていた受信ラベル“ｂｂｂ”が本来設定されているトランスポンダ２０Ｂに接続していたクライアント装置５０が接続されるように、光スイッチ部３０を切り替える。
【００５６】
このように光スイッチ部３０を切り替えたＡ局制御部４０は、テーブルＴＢにおいて、トランスポンダ２０Ｂのスイッチ状態を“ＯＦＦ”に書き換え、トランスポンダ２０Ｆのスイッチ状態を“優先順位２”に書き換える。これにより、最低の優先順位“６”だったＡ局トランスポンダ２０ＦとＢ局トランスポンダ２０ｆとの間で、優先順位“２”の光信号が正常に送受信される。
【００５７】
図８において、トランスポンダ２０Ｆとトランスポンダ２０ｆとの正常通信が確認されると、Ａ局及びＢ局の制御部４０は、優先順位“２”に該当していたトランスポンダ２０Ｂ，２０ｂに対し、優先順位“６”のクライアント装置５０が接続されるように、光スイッチ部３０を切り替える。そして、各制御部４０は、各テーブルＴＢにおいて、トランスポンダ２０Ｂ，２０ｂの優先順位を“６”に書き換え且つトランスポンダ２０Ｆ，２０ｆの優先順位を“２”に書き換えると共に、トランスポンダ２０Ｂ，２０ｂのスイッチ状態を“優先順位６”に書き換える。さらに、各制御部４０は、各テーブルＴＢの運用状態を“正常運用”に書き換え、現在の最低優先順位を“５”に書き換えて、シーケンスを終了する。
【００５８】
以上の処理により、優先順位“６”該当のトランスポンダ２０を用いて、優先順位“２”の光信号を代替救済することができる。そして、障害の発生したトランスポンダ２０については、代替救済の処理後に復旧作業を行うことができ、該トランスポンダ２０が復旧すれば、優先順位“６”の光信号を復帰させることができる。すなわち、予備の冗長トランスポンダを設けなくとも、障害の生じたトランスポンダについて、これより優先順位の低いトランスポンダで代替救済することが可能である。しかも、その救済制御について、自局と他局とで光信号を交信することにより、両局で同調して自動的に実行することが可能である。
【００５９】
上記優先順位“２”該当のトランスポンダ２０Ｂ，２０ｂに対する優先順位“６”該当のトランスポンダ２０Ｆ，２０ｆによる代替救済の後に、さらに同様の障害がＡ局のトランスポンダ２０Ａに発生したときの処理を、図９〜図１４に示している。すなわち、複数台のトランスポンダ２０に障害が発生しても、同様の代替救済を行うことができる。
【００６０】
図９で、Ａ局のトランスポンダ２０Ａの伝送路側出力で障害が発生しているが、Ａ局制御部４０は自局の障害を未だ認識していない状況にある。一方、Ａ局トランスポンダ２０Ａの光信号を受け取るはずのＢ局トランスポンダ２０ａでは、波長分割多重部１０からの対応する光信号入力に異常が発生するので、伝送路側入力異常となる。このとき、Ｂ局トランスポンダ２０ａ自身には障害が発生していないので、Ｂ局制御部４０は、対向局障害発生と認識し、テーブルＴＢにおいてトランスポンダ２０ａの状態を“対向障害”に書き換える。そして、Ｂ局制御部４０は、該伝送路側入力異常トランスポンダ２０ａに接続しているクライアント装置５０よりも優先順位の低いクライアント装置５０に接続しているトランスポンダ２０があるか否かテーブルＴＢを検索する。その結果、優先順位の低いものがあれば、Ｂ局制御部４０は、テーブルＴＢの運用状態を“対向局障害切り替え”として対向局障害切り替えのシーケンスに移行する。
【００６１】
図１０において、対向局障害切り替えのシーケンスに移行したＢ局制御部４０は、トランスポンダ２０ａに接続したクライアント装置５０よりも優先順位の低いクライアント装置５０のうち、例えば現在最低優先順位“５”のクライアント装置５０に接続したトランスポンダ２０ｅについて、テーブルＴＢの送信ラベル“ｅｅｅ”を、伝送路側入力異常のトランスポンダ２０ａの送信ラベル“ａａａ”に書き換える。これにより、Ｂ局トランスポンダ２０ａから、優先順位“１”に該当する送信ラベル“ａａａ”をもった光信号が出力され、波長分割多重部１０でＷＤＭ信号に波長多重されて伝送路ＯＴＬへ送信される。
【００６２】
これに対するＡ局側では、最低優先順位“５”該当のトランスポンダ２０Ｅにおいて、優先順位“１”該当の受信ラベル“ａａａ”を含んだ光信号が、波長分割多重部１０から入力されることになる。したがってＡ局制御部４０は、テーブルＴＢにおいて、トランスポンダ２０Ａの受信ラベルを“ａａａ”に書き換える。その結果、Ａ局のテーブルＴＢにおいて、トランスポンダ２０Ｅに入力される光信号の受信ラベル“ａａａ”が、トランスポンダ２０Ｅの受信ラベル期待値“ｅｅｅ”と異なることになるため、Ａ局の制御部４０は、ラベル不一致を検出する。これによりＡ局の制御部４０は、受信ラベル期待値“ａａａ”を本来もつ優先順位“１”該当のトランスポンダ２０Ａに障害が発生していると判断し、テーブルＴＢにおいて、トランスポンダ２０Ａの状態を“自局障害”に書き換える。そして、Ａ局制御部４０は、テーブルＴＢの運用状態を“自局障害切り替え”として自局障害切り替えのシーケンスに移行する。
【００６３】
図１１において、自局障害切り替えのシーケンスに移行したＡ局制御部４０は、光スイッチ部３０を制御し、優先順位“５”のクライアント装置５０とトランスポンダ２０Ｅとの接続をオフに切り替え、テーブルＴＢにおいて、該トランスポンダ２０Ｅのスイッチ状態を“ＯＦＦ”に書き換える。これにより、Ａ局トランスポンダ２０Ｅの伝送路側出力が異常状態になるので、このトランスポンダ２０Ｅに対応する受信ラベル期待値“ＥＥＥ”が設定されているＢ局のトランスポンダ２０ｅにおいて、伝送路側入力に異常が発生することになる。当該トランスポンダ２０ｅの伝送路側入力異常を検出したＢ局制御部４０は、テーブルＴＢにおいて、トランスポンダ２０ｅの状態を“アラーム”に書き換える。これによりＢ局制御部４０は、Ａ局側が自局障害を認識したと判断することができる。
【００６４】
図１２において、優先順位“５”該当のトランスポンダ２０ｅで伝送路側入力異常が検出された後のＢ局制御部４０は、テーブルＴＢにおいて、“ａａａ”に書き換えていたトランスポンダ２０ｅの送信ラベルを、書き換え前の識別ラベル“ｅｅｅ”に戻す。さらに、Ｂ局制御部４０は、送信ラベルを“ｅｅｅ”に書き戻したトランスポンダ２０ｅに対して、対向局障害が発生しているトランスポンダ２０ａに接続していた優先順位“１”のクライアント装置５０が接続されるように、光スイッチ部３０を切り替える。このように光スイッチ部３０を切り替えたＢ局制御部４０は、テーブルＴＢにおいて、トランスポンダ２０ａのスイッチ状態を“ＯＦＦ”に書き換え、トランスポンダ２０ｅのスイッチ状態を“優先順位１”に書き換える。
【００６５】
これにより、Ｂ局トランスポンダ２０ｅに対応するＡ局トランスポンダ２０Ｅでは、受信ラベルが“ｅｅｅ”に戻ることになる。したがってＡ局制御部４０は、テーブルＴＢにおいて、トランスポンダ２０Ｅの受信ラベルを“ｅｅｅ”に書き換える。すると、Ａ局テーブルＴＢにおいて、トランスポンダ２０Ｅの受信ラベルが受信ラベル期待値と一致することになるので、Ａ局制御部４０は、Ｂ局において光スイッチ部３０の切り替えが実行されたと認識する。
【００６６】
図１３において、トランスポンダ２０Ｅの受信ラベルが本来の値に戻ると、Ａ局制御部４０は、優先順位“５”のクライアント装置５０に接続していたトランスポンダ２０Ｅと優先順位“１”のクライアント装置５０とを接続するように、光スイッチ部３０を切り替える。すなわち、制御部４０は、受信ラベルと受信ラベル期待値とが“ｅｅｅ”に一致復帰したトランスポンダ２０Ｅに対して、一致前の、受信ラベル期待値と異なっていた受信ラベル“ａａａ”が本来設定されているトランスポンダ２０Ａに接続していたクライアント装置５０が接続されるように、光スイッチ部３０を切り替える。このように光スイッチ部３０を切り替えたＡ局制御部４０は、テーブルＴＢにおいて、トランスポンダ２０Ａのスイッチ状態を“ＯＦＦ”に書き換え、トランスポンダ２０Ｅのスイッチ状態を“優先順位１”に書き換える。これにより、最低の優先順位“５”を担当していたトランスポンダ２０Ｅとトランスポンダ２０ｅとの間で、優先順位“１”の光信号が正常に送受信される。
【００６７】
図１４において、トランスポンダ２０Ｅとトランスポンダ２０ｅとの正常通信が確認されると、Ａ局及びＢ局の制御部４０は、優先順位“１”に該当していたトランスポンダ２０Ａ，２０ａに対し、優先順位“５”のクライアント装置５０が接続されるように、光スイッチ部３０を切り替える。そして、各制御部４０は、各テーブルＴＢにおいて、トランスポンダ２０Ａ，２０ａの優先順位を“５”に書き換え且つトランスポンダ２０Ｅ，２０ｅの優先順位を“１”に書き換えると共に、トランスポンダ２０Ａ，２０ａのスイッチ状態を“優先順位５”に書き換える。さらに、各制御部４０は、各テーブルＴＢの運用状態を“正常運用”に書き換え、現在の最低優先順位を“４”に書き換えて、シーケンスを終了する。
【００６８】
図１５〜図１７に、トランスポンダ２０のクライアント装置５０側に障害が発生し、制御部４０が自局障害を検出した場合の処理を示している。上記同様、図中左側に示すトランスポンダ２０Ａ〜Ｆを備えたＡ局光伝送装置と図中右側に示すトランスポンダ２０ａ〜ｆを備えたＢ局光伝送装置とは、伝送路ＯＴＬを介し一対一接続されている。
【００６９】
図１５において、Ａ局の優先順位“２”のクライアント装置５０に接続しているトランスポンダ２０Ｂにおいて、クライアント装置側出力に障害が生じており、Ａ局制御部４０は、分岐部６０を通じた監視によりこれを検出している。このトランスポンダ２０Ｂのクライアント装置側障害を認識したＡ局制御部４０は、テーブルＴＢにおいて、トランスポンダ２０Ｂの状態を“自局障害”に書き換え、運用状態を“自局障害切り替え”として自局障害切り替えのシーケンスに移行する。
【００７０】
図１６において、自局障害切り替えのシーケンスに移行したＡ局制御部４０は、光スイッチ部３０を制御し、障害が発生しているトランスポンダ２０Ｂと優先順位“２”のクライアント装置５０との接続をオフに切り替え、テーブルＴＢにおいて、当該トランスポンダ２０Ｂのスイッチ状態を“ＯＦＦ”に書き換える。これにより、このトランスポンダ２０Ｂに対応する受信ラベル期待値“ＢＢＢ”が設定されているＢ局のトランスポンダ２０ｂにおいて、波長分割多重部１０からの対応する光信号入力が異常状態になる。したがってＢ局制御部４０は、この伝送路側入力異常の発生したトランスポンダ２０ｂについて、対向局障害発生と認識し、テーブルＴＢにおいて、トランスポンダ２０ｂの状態を“対向障害”に書き換える。そして、Ｂ局の制御部４０は、該伝送路側入力異常のトランスポンダ２０ｂに接続していたクライアント装置５０よりも優先順位の低いクライアント装置５０に接続したトランスポンダ２０があるか否か、テーブルＴＢを検索する。その結果、優先順位の低いものがあれば、Ｂ局制御部４０は、テーブルＴＢの運用状態を“対向局障害切り替え”として対向局障害切り替えのシーケンスに移行する。
【００７１】
図１７において、対向局障害切り替えのシーケンスに移行したＢ局制御部４０は、優先順位“２”よりも低い優先順位をもつ複数のクライアント装置５０のうち、例えば現在の最低優先順位“６”のクライアント装置５０に接続したトランスポンダ２０ｆについて、テーブルＴＢの送信ラベル“ｆｆｆ”を、伝送路側入力異常のトランスポンダ２０ｂの送信ラベル“ｂｂｂ”に書き換える。これにより、Ｂ局トランスポンダ２０ｆから、優先順位“２”該当の送信ラベル“ｂｂｂ”をもった光信号が出力され、波長分割多重部１０でＷＤＭ信号に波長多重されて伝送路ＯＴＬへ送信される。
【００７２】
すると、Ａ局光伝送装置では、最低優先順位“６”に該当するトランスポンダ２０Ｆにおいて、優先順位“２”該当の受信ラベル“ｂｂｂ”を含んだ光信号が入力されることになる。したがってＡ局制御部４０は、テーブルＴＢにおいて、トランスポンダ２０Ｆの受信ラベルを“ｂｂｂ”に書き換える。その結果、テーブルＴＢにおいて、トランスポンダ２０Ｆに入力される光信号の受信ラベル“ｂｂｂ”が、受信ラベル期待値“ｆｆｆ”と異なることになるため、Ａ局制御部４０は、ラベル不一致を検出する。これによりＡ局制御部４０は、Ｂ局側が対向局障害を認識したと判断する。
【００７３】
このようにして両局の制御部４０が互いに障害発生を認識した後は、上述の図５以降と同様の処理が実行されることにより、優先順位“２”の光信号を、優先順位“６”を担当していたトランスポンダ２０Ｆ，２０ｆで代替して送受信し、救済することができる。
【００７４】
図１８〜図２０に、トランスポンダ２０自身にハード障害が発生したときの処理を示している。上記同様、図中左側に示すトランスポンダ２０Ａ〜Ｆを備えたＡ局光伝送装置と図中右側に示すトランスポンダ２０ａ〜ｆを備えたＢ局光伝送装置とは、伝送路ＯＴＬを介し一対一接続されている。
【００７５】
図１８において、Ａ局の優先順位“２”のクライアント装置５０に接続したトランスポンダ２０Ｂでハードに障害が発生しており、該トランスポンダ２０Ｂの伝送路側及びクライアント装置側の両方で障害発生となっている。トランスポンダ２０Ｂ自身に障害が発生していることを検出したＡ局制御部４０は、テーブルＴＢにおいて、トランスポンダ２０Ｂの状態を“自局障害”に書き換え、運用状態を“自局障害切り替え”として自局障害切り替えのシーケンスに移行する。
【００７６】
一方、Ｂ局制御部４０は、Ａ局トランスポンダ２０Ｂに対応する受信ラベル期待値“ＢＢＢ”が設定されているＢ局のトランスポンダ２０ｂにおいて、伝送路側入力に異常が検出されるので、対向局障害発生と認識する。したがってＢ局制御部４０は、テーブルＴＢにおいて、トランスポンダ２０ｂの状態を“対向障害”に書き換える。そして、Ｂ局制御部４０は、該伝送路側入力異常のトランスポンダ２０ｂに接続したクライアント装置５０よりも優先順位の低いクライアント装置５０に接続したトランスポンダ２０があるか否か、テーブルＴＢを検索する。その結果、優先順位の低いものがあれば、Ｂ局制御部４０は、テーブルＴＢの運用状態を“対向局障害切り替え”として対向局障害切り替えのシーケンスに移行する。
【００７７】
図１９において、自局障害切り替えのシーケンスに移行したＡ局制御部４０は、光スイッチ部３０を制御し、障害が発生しているトランスポンダ２０Ｂと優先順位“２”のクライアント装置５０との接続をオフに切り替え、テーブルＴＢにおいて、該トランスポンダ２０Ｂのスイッチ状態を“ＯＦＦ”に書き換える。これにより確実にトランスポンダ２０Ｂの入出力が途絶えるので、仮に図１８の状況でＢ局制御部４０が対向局障害発生を認識できなかった場合でも、この時点で対向局障害切り換えのシーケンスに移行することができる。
【００７８】
図２０において、対向局障害切り替えのシーケンスに移行したＢ局制御部４０は、優先順位“２”よりも低い優先順のクライアント装置５０に接続しているトランスポンダ２０のうち、例えば現在の最低優先順位“６”のクライアント装置５０に接続しているトランスポンダ２０ｆについて、テーブルＴＢの送信ラベル“ｆｆｆ”を、伝送路側入力異常のトランスポンダ２０ｂの送信ラベル“ｂｂｂ”に書き換える。これにより、Ｂ局トランスポンダ２０ｆから、優先順位“２”該当の送信ラベル“ｂｂｂ”をもった光信号が出力され、波長分割多重部１０でＷＤＭ信号に波長多重されて伝送路ＯＴＬへ送信される。
【００７９】
すると、Ａ局光伝送装置では、最低優先順位“６”に該当するトランスポンダ２０Ｆにおいて、優先順位“２”該当の受信ラベル“ｂｂｂ”を含んだ光信号が入力されることになる。したがってＡ局制御部４０は、テーブルＴＢにおいて、トランスポンダ２０Ｆの受信ラベルを“ｂｂｂ”に書き換える。その結果、テーブルＴＢにおいて、トランスポンダ２０Ｆに入力される光信号の受信ラベル“ｂｂｂ”が、受信ラベル期待値“ｆｆｆ”と異なることになるため、Ａ局の制御部４０は、ラベル不一致を検出する。これによりＡ局制御部４０は、Ｂ局側が対向局障害を認識したと判断する。
【００８０】
このようにして両局の制御部４０が互いに障害発生を認識した後は、上述の図５以降と同様の処理が実行されることにより、優先順位“２”の光信号を、優先順位“６”を担当していたトランスポンダ２０Ｆ，２０ｆで代替して送受信し、救済することができる。
【００８１】
図２１〜図２３に、予備のトランスポンダ２０を１個設けた冗長構成を示している。上記同様、図中左側に示すトランスポンダ２０Ａ〜Ｆを備えたＡ局光伝送装置と図中右側に示すトランスポンダ２０ａ〜ｆを備えたＢ局光伝送装置とは、伝送路ＯＴＬを介し一対一接続されている。本例の場合、両局のトランスポンダ２０Ａ〜Ｆ，２０ａ〜ｆのうち、最低優先順位“６”としたトランスポンダ２０Ｆ，２０ｆが予備として設けられている。
【００８２】
図２１に示すように、この場合、両局の制御部４０が管理する各テーブルＴＢにおいて、予備トランスポンダ２０Ｆ，２０ｆのスイッチ状態は“折り返し”とされ且つ状態は“待機”に初期設定されている。
【００８３】
図２２において、上述の図３のごとく、Ａ局の優先順位“２”のクライアント装置５０に接続したトランスポンダ２０Ｂの伝送路側出力において障害が発生したとする。ただし、この時点でＡ局光伝送装置の制御部４０は自局の障害を認識していない。一方、Ｂ局の光伝送装置においては、Ａ局トランスポンダ２０Ｂの光信号を受け取るはずのトランスポンダ２０ｂで伝送路側入力に異常が生じることから、Ｂ局制御部４０は、対向局障害発生と認識することができる。したがってＢ局制御部４０は、テーブルＴＢにおいて、トランスポンダ２０ｂの状態を“対向障害”に書き換える。そして、Ｂ局制御部４０は、テーブルＴＢにおいて優先順位“２”よりも低い優先順位に該当しているトランスポンダ２０を検索する。本例の場合、優先順位“６”として予備トランスポンダ２０ｆがあるので、Ｂ局制御部４０は、テーブルＴＢの運用状態を“対向局障害切り替え”とし、予備トランスポンダ２０ｆを使用した対向局障害切り替えのシーケンスに移行する。
【００８４】
図２３において、対向局障害切り替えのシーケンスに移行したＢ局制御部４０は、テーブルＴＢにおいて、予備トランスポンダ２０ｆの送信ラベル“ｆｆｆ”を、伝送路側入力異常のトランスポンダ２０ｂの送信ラベル“ｂｂｂ”に書き換えると共に、予備トランスポンダ２０ｆの状態を“正常”に書き換える。これにより、Ｂ局トランスポンダ２０ｆから、優先順位“２”該当の送信ラベル“ｂｂｂ”をもった光信号が出力され、波長分割多重部１０でＷＤＭ信号に波長多重されて伝送路ＯＴＬへ送信される。
【００８５】
すると、Ａ局で最低優先順位“６”に該当する予備トランスポンダ２０Ｆにおいて、波長分割多重部１０から優先順位“２”該当の受信ラベル“ｂｂｂ”を含んだ光信号が入力されることになる。したがってＡ局制御部４０は、テーブルＴＢにおいて、トランスポンダ２０Ｆの受信ラベルを“ｂｂｂ”に書き換える。その結果、テーブルＴＢにおいて、トランスポンダ２０Ｆに入力される光信号の受信ラベル“ｂｂｂ”が、トランスポンダ２０Ｆの受信ラベル期待値“ｆｆｆ”と異なることになるため、Ａ局制御部４０は、ラベル不一致を検出する。これによりＡ局制御部４０は、受信ラベル期待値“ｂｂｂ”を本来もつ優先順位“２”該当のトランスポンダ２０Ｂに障害が発生していると判断し、テーブルＴＢにおいて、トランスポンダ２０Ｂの状態を“自局障害”に書き換えると共に、トランスポンダ２０Ｆの状態を正常に書き換える。そして、テーブルＴＢの運用状態を“自局障害切り替え”として自局障害切り替えのシーケンスに移行する。
【００８６】
このようにして両局の制御部４０が互いに障害発生を認識した後は、上述の図５以降と同様の処理が実行されることにより、優先順位“２”の光信号を優先順位“６”を担当していたトランスポンダ２０Ｆ，２０ｆで代替して送受信し、救済することができる。本例の場合、最低優先順位“６”該当のトランスポンダ２０Ｆ，２０ｆは、予備として備えられたもので、光伝送装置においてトランスポンダ２０の個数がクライアント装置５０よりも１個多くなっている。これにより、全トランスポンダについて、少なくとも１回代替救済を行うことができる。
【００８７】
以上のようにして代替救済した障害発生トランスポンダ２０について障害原因が解決されたときに、光伝送装置を障害前の状態に復旧させる処理の例を説明する。
【００８８】
例えば図１４の状態から、Ａ局において障害が発生しているトランスポンダ２０Ａ，２０Ｂに関し、伝送路側の光ファイバを交換するなどして、障害を取り除いたとする。この場合、障害を解決したＡ局制御部４０において、テーブルＴＢにリセットをかけ、図２の初期状態に復帰させる。すると、代替救済で光経路が変えられていた優先順位“１，２，５，６”の光信号について、当初の担当トランスポンダ、すなわち優先順位“１”＝トランスポンダ２０Ａ、優先順位“２”＝トランスポンダ２０Ｂ、優先順位“５”＝トランスポンダ２０Ｅ、優先順位“６”＝トランスポンダ２０Ｆに入出力されるように、光スイッチ部３０が切り替えられる。したがって、このＡ局制御部４０におけるテーブルリセットがあると、Ｂ局制御部４０は、Ｂ局トランスポンダ２０ａ，ｂ，ｅ，ｆについて一斉に伝送路側入力異常を検出する。
【００８９】
このように、障害により接続切り替えを行っていたトランスポンダ２０のすべてで異常が検出された場合、Ｂ局制御部４０は、対向局が復旧に係るリセット処理を行ったと判断し、自局のテーブルＴＢを同様にリセットする。これにより、Ｂ局のテーブルＴＢも、図２の初期状態に復帰することになる。以降、図２の初期正常状態における光通信が行われる。
【００９０】
なお、Ｂ局の制御部４０がテーブルリセットを行うのは、障害に起因して接続経路を切り替えたトランスポンダ２０においてのみ異常が生じた場合である。切り替えを行っていないトランスポンダ２０（図１４の優先順位“３，４”）も含めて全トランスポンダ２０で異常が発生した場合は、テーブルリセットが行われることはない。この場合は伝送路のファイバ断など他の障害が生じている可能性があるためである。
【００９１】
以上の実施形態に関し、さらに以下の付記を開示する。
【００９２】
（付記１）
波長の異なる光信号を波長多重してＷＤＭ信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成され、
前記制御部は、
少なくとも優先順位、送信ラベル、受信ラベル、受信ラベル期待値の各項目を、前記トランスポンダ毎に対応させたテーブルを有し、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、
この送信ラベルを書き換えたラベル変更トランスポンダが、当該書き換え後の送信ラベルを含む光信号を前記波長分割多重部へ出力するように制御する、
光伝送装置。
【００９３】
（付記２）
付記１記載の光伝送装置であって、
前記制御部は、
前記ラベル変更トランスポンダが、前記書き換え後の送信ラベルを含む光信号を前記波長分割多重部へ出力した後、
このラベル変更トランスポンダにおいて前記波長分割多重部から入力される光信号に異常が発生すると、前記テーブルにおいて、当該ラベル変更トランスポンダの送信ラベルを、書き換え前の送信ラベルに戻し、
この書き換え前の送信ラベルに戻したトランスポンダを、前記入力異常トランスポンダに接続していたクライアント装置へ接続するように、前記光スイッチ部を切り替える、
光伝送装置。
【００９４】
（付記３）
付記２記載の光伝送装置であって、
前記制御部は、
前記光スイッチ部を切り替えた後、
この光スイッチ部を切り替えたすべてのトランスポンダに関する異常が検出された場合、前記テーブルを障害発生前の状態にリセットする、
光伝送装置。
【００９５】
（付記４）
付記１記載の光伝送装置であって、
前記制御部は、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替える、
光伝送装置。
【００９６】
（付記５）
付記４記載の光伝送装置であって、
前記制御部は、
前記ラベル異常トランスポンダとクライアント装置との接続をオフに切り替えた後、
前記テーブルにおいて、このラベル異常トランスポンダの受信ラベルが受信ラベル期待値に再度一致すると、当該トランスポンダを、前記受信ラベル期待値と異なっていた受信ラベルが本来設定されているトランスポンダに接続していたクライアント装置へ接続するように、前記光スイッチ部を切り替える、
光伝送装置。
【００９７】
（付記６）
付記１記載の光伝送装置であって、
前記制御部は、
前記トランスポンダのいずれかでクライアント装置への出力に障害が発生したとき、又は、前記トランスポンダのいずれかでハード障害が発生したときに、この障害発生トランスポンダとクライアント装置との接続をオフとするように、前記光スイッチ部を切り替える、
光伝送装置。
【００９８】
（付記７）
付記１〜６のいずれかに記載の光伝送装置であって、
前記トランスポンダの個数が前記クライアント装置よりも多い光伝送装置。
【００９９】
（付記８）
波長の異なる光信号を波長多重してＷＤＭ信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成される光伝送装置を、自局及び対向局に備えた光伝送システムであって、
前記制御部は、少なくとも優先順位、送信ラベル、受信ラベル、受信ラベル期待値の各項目を、前記トランスポンダ毎に対応させたテーブルを有し、
自局の前記制御部が、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、この送信ラベルを書き換えたラベル変更トランスポンダが、当該書き換え後の送信ラベルを含む光信号を前記波長分割多重部へ出力するように制御し、
対向局の前記制御部が、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替え、
前記自局の制御部が、
前記ラベル変更トランスポンダにおいて前記波長分割多重部から入力される光信号に異常が発生すると、前記テーブルにおいて、当該ラベル変更トランスポンダの送信ラベルを、書き換え前の送信ラベルに戻し、この書き換え前の送信ラベルに戻したトランスポンダを、前記入力異常トランスポンダに接続していたクライアント装置へ接続するように、前記光スイッチ部を切り替え、
前記対向局の制御部が、
前記テーブルにおいて、前記ラベル異常トランスポンダの受信ラベルが受信ラベル期待値に再度一致すると、このトランスポンダを、前記受信ラベル期待値と異なっていた受信ラベルが本来設定されているトランスポンダに接続していたクライアント装置へ接続するように、前記光スイッチ部を切り替える、
光伝送システム。
【０１００】
（付記９）
付記８記載の光伝送システムであって、
前記自局の制御部が、
前記光スイッチ部を切り替えた後、
この光スイッチ部を切り替えたすべてのトランスポンダに関する異常が検出された場合、前記テーブルを障害発生前の状態にリセットする、
光伝送システム。
【０１０１】
（付記１０）
波長の異なる光信号を波長多重してＷＤＭ信号を伝送路へ送信し、伝送路から受信したＷＤＭ信号を波長毎の光信号に分離する波長分割多重部と、
複数のクライアント装置から入力される各光信号をそれぞれ波長変換して前記波長分割多重部へ出力し、前記波長分割多重部から入力される各光信号をそれぞれ波長変換して前記各クライアント装置へ出力する複数のトランスポンダと、
前記トランスポンダと前記クライアント装置との間の接続経路を切り替える光スイッチ部と、
前記トランスポンダのいずれかに障害が発生したときに、この障害発生トランスポンダに接続しているクライアント装置よりも低い優先順位に該当するトランスポンダを、前記障害発生トランスポンダに接続していたクライアント装置へ接続するように、前記光スイッチ部を切り替える制御部と、
を含んで構成される光伝送装置を、自局及び対向局に備えた光伝送システムであって、
前記制御部は、少なくとも優先順位、送信ラベル、受信ラベル、受信ラベル期待値の各項目を、前記トランスポンダ毎に対応させたテーブルを有し、
自局の前記制御部が、
前記トランスポンダのいずれかでクライアント装置への出力に障害が発生したとき、又は、前記トランスポンダのいずれかでハード障害が発生したときに、この障害発生トランスポンダとクライアント装置との接続をオフとするように、前記光スイッチ部を切り替え、
対向局の前記制御部が、
前記トランスポンダのいずれかで前記波長分割多重部から入力される光信号に異常があったときに、前記テーブルにおいて、この入力異常トランスポンダに接続しているクライアント装置よりも低い優先順位に該当するトランスポンダの送信ラベルを、前記入力異常トランスポンダの送信ラベルに書き換え、この送信ラベルを書き換えたラベル変更トランスポンダが、当該書き換え後の送信ラベルを含む光信号を前記波長分割多重部へ出力するように制御し、
前記自局の制御部が、
前記テーブルにおいて、受信ラベルが受信ラベル期待値と異なるラベル異常トランスポンダが生じると、このラベル異常トランスポンダとクライアント装置との接続をオフとするように、前記光スイッチ部を切り替え、
前記対向局の制御部が、
前記ラベル変更トランスポンダにおいて前記波長分割多重部から入力される光信号に異常が発生すると、前記テーブルにおいて、このラベル変更トランスポンダの送信ラベルを、書き換え前の送信ラベルに戻し、この書き換え前の送信ラベルに戻したトランスポンダを、前記入力異常トランスポンダに接続していたクライアント装置へ接続するように、前記光スイッチ部を切り替え、
前記自局の制御部が、
前記テーブルにおいて、前記ラベル異常トランスポンダの受信ラベルが受信ラベル期待値に再度一致すると、このトランスポンダを、前記受信ラベル期待値と異なっていた受信ラベルが本来設定されているトランスポンダに接続していたクライアント装置へ接続するように、前記光スイッチ部を切り替える、
光伝送システム。
【０１０２】
（付記１１）
付記１０記載の光伝送システムであって、
前記対向局の制御部が、
前記光スイッチ部を切り替えた後、
この光スイッチ部を切り替えたすべてのトランスポンダに関する異常が検出された場合、前記テーブルを障害発生前の状態にリセットする、
光伝送システム。
【０１０３】
（付記１２）
ＳＯＮＥＴ／ＳＤＨのトレース識別子機能を有するＷＤＭ光伝送ネットワークにおいてノードに備えられ、
波長の異なる光信号を波長多重してＷＤＭ信号を伝送路へ送信し、伝送路から受信したＷＤＭ信号を波長毎の光信号に分離する波長分割多重部と、
該波長分割多重部と複数のクライアント装置との間に設けられて波長毎に光信号を波長変換する複数のトランスポンダと、
前記トランスポンダと前記クライアント装置との間の接続経路を切り替える光スイッチ部と、
を含んで構成される光伝送装置の制御方法であって、
前記トランスポンダのそれぞれに割り振られた前記トレース識別子の送信ラベル、受信ラベル、受信ラベル期待値に基づいて前記光スイッチ部を制御し、
前記トランスポンダのいずれかにおいて受信ラベルと受信ラベル期待値とのトレース識別子不一致（Trace Identifier Mismatch）が発生したときに、前記光スイッチ部を切り替える、
制御方法。
【０１０４】
（付記１３）
付記１２記載の制御方法であって、
前記トレース識別子不一致の受信ラベルが、障害の発生しているトランスポンダに付与されている受信ラベルと同じ値になっており、
この受信ラベルの示す障害発生トランスポンダに接続していたクライアント装置を、前記トレース識別子不一致の発生したトランスポンダへ接続するように、前記光スイッチ部を切り替える、
制御方法。
【符号の説明】
【０１０５】
１０  波長分割多重部
２０  トランスポンダ
３０  光スイッチ部
４０  制御部
５０  クライアント装置
６０  分岐部
【図１Ａ】
2010213009.tif 000003
【図１Ｂ】
2010213009.tif 000004
【図２】
2010213009.tif 000005
【図３】
2010213009.tif 000006
【図４】
2010213009.tif 000007
【図５】
2010213009.tif 000008
【図６】
2010213009.tif 000009
【図７】
2010213009.tif 000010
【図８】
2010213009.tif 000011
【図９】
2010213009.tif 000012
【図１０】
2010213009.tif 000013
【図１１】
2010213009.tif 000014
【図１２】
2010213009.tif 000015
【図１３】
2010213009.tif 000016
【図１４】
2010213009.tif 000017
【図１５】
2010213009.tif 000018
【図１６】
2010213009.tif 000019
【図１７】
2010213009.tif 000020
【図１８】
2010213009.tif 000021
【図１９】
2010213009.tif 000022
【図２０】
2010213009.tif 000023
【図２１】
2010213009.tif 000024
【図２２】
2010213009.tif 000025
【図２３】
2010213009.tif 000026